(57)【要約】  【課題】機器内部に保存された文書のダイレクトプリントの実行時に、実際にネットワーク複合機が実装している様々なプリント機能を利用することができるネットワーク複合機を提供する。  【解決手段】パソコンからHTTP  POST  Method＆ダイレクトプリント指示を受信する（ステップ104）と、ネットワーク複合機の記録部に両面プリント機構が装着されているか、排出先ビンが装着されているか否かを判定する（ステップ105、106）。そして、両者が装着されていると、ＨＴＴＰレスポンスとして、両面プリント選択、排出先ビン選択、Ｎin１プリント選択のコンテンツをパソコンに送信する（ステップ107）。これにより、パソコンのモニタ画面に実際にネットワーク複合機で使用可能な機能のみが選択情報として表示されるので、様々なプリント機能を簡単に利用することができる。  【選択図】図４
2006135643.tif 000002
【特許請求の範囲】
【請求項１】
端末装置と通信ネットワークを介して接続され、プリント機能及びウェブサーバ機能を備えたネットワーク複合機であって、
文書を保存する記憶手段と、上記ウェブサーバ機能を制御する制御手段を備え、上記端末装置のウェブブラウザ画面から上記記憶手段に保存された文書データのダイレクトプリント実行指示を受けたとき、上記制御手段がネットワーク複合機のプリント機能を判断し、実行可能なプリント機能の選択情報を上記端末装置に送信することを特徴とするネットワーク複合機。
【請求項２】
請求項１に記載のネットワーク複合機において、
上記プリント機能として、両面プリント機能を有することを特徴とするネットワーク複合機。
【請求項３】
請求項１に記載のネットワーク複合機において、
上記プリント機能として、プリント原稿の排出先選択機能を有することを特徴とするネットワーク複合機。
【請求項４】
請求項１に記載のネットワーク複合機において、
上記プリント機能として、Ｎin１機能を有することを特徴とするネットワーク複合機。
【発明の詳細な説明】
【技術分野】
【０００１】
本発明はパーソナルコンピュータ（以下、パソコンという）などの端末装置とＬＡＮなどの通信ネットワークを介して接続されるとともに、ウェブサーバ機能を備えたネットワーク複合機に関する。
【背景技術】
【０００２】
近時、オフィスなどにおいて、ファクシミリスステムが普及してきており、データ通信上有益な役割を果たしている。このようなシステムは、例えば、ＬＡＮなどの通信ネットワークにより、ネットワーク複合機や端末装置いわゆるクライアントパソコンなどを接続して構成されており、ネットワーク複合機は、ファクシミリ受信したデータをクライアントパソコンに転送したり、クライアントパソコンから転送先を指定したデータを受信すると、受信したデータを指定された転送先に送信するようになっている。
【０００３】
このようなネットワーク複合機は、通常、ウェブサーバ機能を有するネットワークボードを備え、複合機本体からの操作によりスキャンした場合に、スキャン文書をネットワークボード内部に保存するとともに、指定された端末装置にスキャン文書の保存を通知したり、あるいは、ファクス／メールを受信した場合に、ネットワーク複合機がネットワークボードの所定の格納場所に画像データを一時的に記憶し、ユーザがネットワークボードの格納場所にアクセスして画像データを取り込むようにした機能もあり、このような場合には、ネットワーク複合機からＵＤＰ／ＩＰパケットで端末装置に各事象が発生した旨を通知するようにしている。
なお、ＵＤＰはＩＰの上位プロトコルで、トランスポート層に属し、ＴＣＰが持っているコネクション管理、応答確認、シーケンス、ウィンドウ制御、フロー制御といった機能を持っていないので、データが確実に相手に届くという保証がないが、負荷が少なく、動作が速い。
【０００４】
また、最近のネットワーク複合機は、受信したファクス文書やスキャンした紙文書などを回覧者指定で通知したり、このような文書をウェブブラウザからの操作で掲示板に掲載でき、だれでも閲覧することができるような機能も備えており、このような回覧や掲示板への文書掲示が発生した場合にも、ネットワーク複合機はＵＤＰ／ＩＰパケットで端末装置に通知するようにしている。
【０００５】
さらに、「見積もり依頼のファクス文書を担当者に処理してもらう。」といった業務をペーパレスで実現するため、通知事務担当者が受信したファクス文書を見積担当者のボックスに格納したことをネットワーク複合機が見積担当者の端末装置にＵＤＰ／ＩＰパケットで通知することも可能になっている。なお、この処理依頼機能により転送されたデータは、見積担当者が処理を完了するまで依頼者が処理状況を確認できるようになっている。
【０００６】
上記のようにしてネットワーク複合機本体に保存された文書の一覧リストをユーザが表示したい場合には、端末装置のウェブブラウザ画面から一覧リストの表示を指示することにより、図１０に示すような、文書一覧リストを端末装置のモニタ画面に表示することができる。
【０００７】
図１０に示すように、この文書一覧リスト画面の上部に、スキャン画像、送信文書、受信文書、共有受信文書、掲示板文書、回覧文書、処理依頼文書の切替タブと、「転送」、「送信」、「プリント」、「ダウンロード」、「削除」、「掲示板」、「回覧」等の機能選択ボタンが表示されている。また、文書一覧リスト画面の下部には、受信文書の場合、相手先名、文書分類、ページ数、受信日時等が表示される。
そして、ある文書をプリントしたい場合には、上記の文書一覧リスト画面において、プリントしたい文書をチェックして「プリント」ボタンをクリックすることにより、ダイレクトプリントを実行できるようになっている（例えば、特許文献１参照。）。
【特許文献１】特開２００４−１２００８８号公報
【発明の開示】
【発明が解決しようとする課題】
【０００８】
上記のように、従来のネットワーク複合機は、ウェブサーバ機能を有するネットワークボードを備え、端末装置のウェブブラウザ画面に保存文書の一覧リストを表示し、プリントしたい文書をチェックして「プリント」ボタンをクリックすることにより、ダイレクトプリントを実行できるようになっているが、このダイレクトプリントでは単に指定された文書をプリントする機能しか備えておらず、ネットワーク複合機が両面プリント機構を搭載していたとしても、片面プリントしかできなかった。
【０００９】
また、ネットワーク複合機でのプリント機能には、複数（２、４、８）枚の原稿をそれぞれ縮小し、１枚の用紙にまとめてプリントアウトする集約（Ｎin１）コピー機能を備えているものがあるが、このような集約コピー機能を備えていたとしても、従来のダイレクトプリントでは、この機能を利用することができなかった。
さらに、ネットワーク複合機には複数の排出ビンを装着することが可能になっているものもあるが、このような複数の排出ビン機構を備えていたとしても、従来のダイレクトプリントでは、プリント原稿をセンタートレイにしか排出できず、複数の排出ビンを有効に利用できなかった。
【００１０】
一方、ダイレクトプリント時にすべてのプリント機能の選択画面を端末装置のモニタ画面に表示することも考えられるが、その画面である機能を選択しても、その機能がネットワーク複合機に装備されていなければ、エラーとなり、実際に各機能を選択しなければその機能が動作するか不明であるので、各プリント機能を実行するのに時間がかかるという問題が生じる。
【００１１】
本発明は、上記の問題に鑑みてなされたもので、機器内部に保存された文書のダイレクトプリントの実行時に、実行可能なプリント機能を表示した選択画面を端末装置に表示することができ、ユーザが様々なプリント機能を容易に利用することができるネットワーク複合機を提供することを目的とする。
【課題を解決するための手段】
【００１２】
上述の目的を達成するため、請求項１に係る発明の端末装置は、端末装置と通信ネットワークを介して接続され、プリント機能及びウェブサーバ機能を備えたネットワーク複合機であって、文書を保存する記憶手段と、上記ウェブサーバ機能を制御する制御手段を備え、上記端末装置のウェブブラウザ画面から上記記憶手段に保存された文書データのダイレクトプリント実行指示を受けたとき、上記制御手段がネットワーク複合機のプリント機能を判断し、実行可能なプリント機能の選択情報を上記端末装置に送信することを特徴とする。
【００１３】
また、請求項２に係る発明のネットワーク複合機は、請求項１に記載のネットワーク複合機において、上記プリント機能として、両面プリント機能を有することを特徴とし、請求項３に係る発明のネットワーク複合機は、請求項１に記載のネットワーク複合機において、上記プリント機能として、プリント原稿の排出先選択機能を有することを特徴とし、さらに、請求項４に係る発明のネットワーク複合機は、請求項１に記載のネットワーク複合機において、上記プリント機能として、Ｎin１機能を有することを特徴とする。
【発明の効果】
【００１４】
請求項１〜請求項４に係る発明のネットワーク複合機によれば、端末装置から保存された文書データのダイレクトプリント実行指示を受けたとき、機器の実装機能を判別することにより、両面プリント機能、Ｎin１プリント機能、プリント原稿の排出先の指定機能等の実行可否を判別し、実行可能なプリント機能を表示した選択画面を端末装置に表示するので、ユーザは実際にネットワーク複合機が実装している様々なプリント機能を簡単に有効利用することができる。
【実施例】
【００１５】
以下、本発明のネットワーク複合機の実施例について、図面を用いて説明する。図１はネットワーク複合機を備えたシステムのネットワーク構成例を示す図であり、図２はネットワーク複合機のハードウェア構成を示すブロック図、図３はネットワークボードの機能を示す機能ブロック図である。
【００１６】
図１に示すネットワーク構成図において、１はネットワーク複合機、２、３、４・・・はパソコン、５は公衆交換電話網（ＰＳＴＮ）、６はＬＡＮ（Local Area Network）、７はインターネット網である。ネットワーク複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、ネットワーク複合機１はこのインターネット網７を介してメールの送受信を行うことが可能である。
【００１７】
図２はネットワーク複合機１の制御系の構成を示す概略ブロック図であり、図に示すように、ネットワーク複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０、ネットワークボード２１及びＬＡＮインターフェース（Ｉ／Ｆ）２２から構成され、各部がバス２３を介して接続されている。
【００１８】
ＣＰＵ１１はバス２３を介してネットワーク複合機１のハードウェア各部を制御するとともに、ＲＯＭ１２に記憶されたプログラムに基づいて各種のプログラムを実行し、ＲＯＭ１２はネットワーク複合機の動作に必要な種々のプログラムや操作メッセージ等を予め記憶している。また、ＲＡＭ１３はＳＲＡＭ等で構成され、プログラムの実行時に発生する一時的なデータを記憶する。
【００１９】
表示・操作部１４は、ネットワーク複合機の動作状態を表示したり、種々の機能の操作画面の表示を行う表示部と、ネットワーク複合機を操作するための多数の操作キーとから構成されている。読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、白黒２値に変換したドットイメージデータを出力する。
【００２０】
また、画像メモリ１６は、ＤＲＡＭ等を用いて構成され、送信すべきイメージデータまたは受信したイメージデータあるいは読取部１５で読み取ったイメージデータを記憶し、記録部１７は電子写真方式等のプリンタ装置を備え、受信したデータ、コピー原稿データあるいは外部のパソコンから送信されたプリントデータをプリントアウトするものであり、複数の排出ビン機構を設けることも可能になっている。
【００２１】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００２２】
モデム１９はバス２３に接続されており、ファクシミリ通信が可能なファクスモデムとしての機能を有し、このモデム１９は同様にバス２３に接続されたＮＣＵ２０と接続されている。ＮＣＵ２０はアナログ回線の閉結及び開放の動作を行うハードウェアであり、必要に応じてモデム１９をＰＳＴＮ５に接続する。
【００２３】
また、ＬＡＮインターフェース２２はＬＡＮ６に接続され、外部のパソコンからのデータあるいはインターネット網７からの信号をＬＡＮ６を介して受信する一方、ＬＡＮ６に対して信号やデータを送信するものであり、信号変換やプロトコル変換などのインターフェース処理を実行する。
【００２４】
ネットワーク複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、受信した画像データがモデム１９で復調され、画像メモリ１６に蓄積された後、コーデック１８で復号されて記録部１７により印刷される。  
【００２５】
一方、ネットワークボード２１は図３の機能ブロック図に示すように、ＴＣＰ／ＩＰプロトコル制御部３１、ＨＴＴＰＤ制御部３２、ホームページ管理部３３、装置情報管理部３４、文書管理部３５からなり、これらの各部は、ＣＰＵ、ＲＯＭ、ＲＡＭ等のメモリ、磁気ディスク（ハードディスク）記憶装置等により構成されている。
【００２６】
ＴＣＰ／ＩＰプロトコル制御部３１はＴＣＰ（Transmission  Control  Protocol）／ＩＰ（Internet  Protocol）を制御し、ＨＴＴＰＤ制御部３２は、ＴＣＰ／ＩＰプロトコル制御部３１によるデータストリーム転送機能を用いてＨＴＴＰＤ（Hyper  Text  Transfer  Protocol  Deamon）機能に対する処理を実行し、パソコン２、３、４等のＷＷＷ（World  Wide  Web）ブラウザからの要求を処理する。
なお、ＨＴＴＰＤはＨＴＴＰサーバの機能を提供するデーモンで、ＵＮＩＸ（登録商標）オペレーティング・システム上でウェブサーバを運用する際に使われるものである。
【００２７】
また、ホームページ管理部３３は、ＨＴＴＰＤ制御部３２からのホームページ要求に対応してホームページファイルをＨＴＴＰＤ制御部３２に出力し、装置情報管理部３４はネットワーク複合機１の装置情報、例えば、複数の排出ビン機構の装着情報、あるいは、両面プリント機能の有無等のプリント機能情報を記憶している。
【００２８】
さらに、文書管理部３５はネットワーク複合機１本体からの操作によるスキャン文書、ファクス／メール受信の配信文書等の文書を記憶・保存するととともに、ＨＴＴＰＤ制御部３２からの要求に応じて保存文書の一覧情報をＨＴＭＬ（Hyper Text Markup Language）形式のファイルに変換してＨＴＴＰＤ制御部３２に出力し、かつ、ＨＴＴＰＤ制御部３２から入力された情報を解析して、保存文書の転送、削除等の処理を行う。
【００２９】
次に、ユーザがパソコン２、３、４等から文書の一覧表示を要求し、一覧表示された文書のいずれかを指定してプリント指示を行う場合の作用について説明する。
ユーザがＷＷＷブラウザを起動し、例えば、パソコン２の表示部（図示せず）に表示されたＷＷＷブラウザ画面において、ネットワーク複合機１のＩＰアドレスを指定してアクセスを行うと、ネットワークボード２１のＨＴＴＰＤ制御部３２がこれを検知し、ホームページ管理部３３からＨＴＭＬで記述されたホームページファイルを読み出し、ＴＣＰ／ＩＰプロトコル制御部３１、ＬＡＮインターフェース２２、ＬＡＮ６を介してパソコン２に転送する。
【００３０】
そして、ユーザがこのホームページから一覧表示を選択して指示すると、一覧表示指示情報がＬＡＮ６を介してネットワーク複合機１に転送されるので、ネットワークボード２１のＨＴＴＰＤ制御部３２がこれを検知し、文書管理部３５が保存文書の一覧情報をＨＴＭＬ（Hyper Text Markup Language）形式のファイルに変換してパソコン２に転送する。
これにより、パソコン２のモニタ画面に図１０に示す文書一覧リスト画面が表示され、ユーザがある文書を指定してプリントを指示すると、パソコン２よりHTTP POST Method＆ダイレクトプリント指示がネットワーク複合機１に送信される。
【００３１】
一方、ＨＴＴＰＤ制御部３２は、常時、図４のフローチャートに示すプログラムを実行し、ＴＣＰ／ＩＰプロトコル制御部３１を介してパソコン２、３、４等からパケットを受信したか否かを判定している（ステップ１０１）。そして、例えば、パソコン２からパケットを受信したと判定すると、ＨＴＴＰＤ制御部３２はＨＴＴＰのパケットか否かを判定し（ステップ１０２）、ＨＴＴＰのパケットでない場合、ＨＴＴＰ以外のネットワーク処理を実行し（ステップ１０３）、ＨＴＴＰのパケットであると判定した場合は、ＨＴＴＰＤ制御部３２はHTTP POST Method＆ダイレクトプリント指示を受信したか否かを判定する（ステップ１０４）。
【００３２】
なお、HTTP POST MethodはＨＴＭＬのフォームに記述された内容をウェブサーバに送信する際のメソッドの一つで、＜FORM＞タグのMethod＝“”属性に指定する。ＰＯＳＴを指定した場合、フォームに記述された内容はＵＲＬに直接現れないので、ＵＲＬ長の制限に収まらないような長いデータも送信でき、送信された内容がユーザの目に触れたり、履歴として残ったりすることがない。
【００３３】
ステップ１０４でHTTP POST Method＆ダイレクトプリント指示であると判定した場合、ＨＴＴＰＤ制御部３２は装置情報管理部３４に問合せることにより、ネットワーク複合機１の記録部１７に両面プリント機構が装着されているか否かを判定する（ステップ１０５）。両面プリント機構が装着されていると判定した場合、ＨＴＴＰＤ制御部３２は装置情報管理部３４に問合せることにより、ネットワーク複合機１の記録部１７に排出先ビンが装着されているか否かを判定する（ステップ１０６）。
【００３４】
そして、ステップ１０６で排出先ビンが装着されていると判定した場合、ＨＴＴＰＤ制御部３２はホームページ管理部３３にＨＴＴＰレスポンスとして、両面プリント選択、排出先ビン選択、Ｎin１プリント選択のコンテンツを作成させ、ＴＣＰ／ＩＰプロトコル制御部３１を介してパソコン２に送信する（ステップ１０７）。
これにより、パソコン２のモニタ画面に図５に示すプリント設定画面が表示される。
【００３５】
ユーザは、上記のプリント設定画面で「両面プリント」、「排出先ビン指定」、「Ｎin１プリント」の表示の左側の□の選択欄をクリックすることにより、それぞれの機能を選択することができる。また、「排出先ビン指定」をチェックした場合は、その下の欄で排出先ビンを指定することができ、印刷部数の欄では印刷部数を（初期値は１）を指定することができる。
以上の選択を終了した後、ユーザが「ＯＫ」ボタンをクリックすると、これらの情報がネットワーク複合機１にHTTP POST Method＆ダイレクトプリントの詳細プリント指示情報として送信される。
【００３６】
一方、ＨＴＴＰＤ制御部３２はＨＴＴＰレスポンスを送信した後、再びＴＣＰ／ＩＰプロトコル制御部３１を介してパソコン２、３、４等からパケットを受信したか否かを判定しており（ステップ１０１）、パケットを受信したと判定すると、ＣＰＵ３１はＨＴＴＰのパケットか否かを判定する（ステップ１０２）。ＨＴＴＰのパケットであると判定した場合、ＨＴＴＰＤ制御部３２はHTTP  POST  Method＆ダイレクトプリント指示を受信したか否かを判定し（ステップ１０４）、HTTP  POST  Method＆ダイレクトプリント指示でないと判定した場合は、ＨＴＴＰＤ制御部３２はHTTP  POST  Method＆ダイレクトプリントの詳細プリント指示情報を受信したか否かを判定する（ステップ１０８）。
【００３７】
ステップ１０８でHTTP  POST  Method＆ダイレクトプリントの詳細プリント指示情報でないと判定した場合、ＨＴＴＰＤ制御部３２はＨＴＴＰのその他の処理を実行し（ステップ１０９）、HTTP  POST  Method＆ダイレクトプリントの詳細プリント指示情報であると判定した場合は、文書管理部３５から読み出したダイレクトプリント原稿情報とダイレクトプリントの詳細プリント指示情報をネットワーク複合機１のＣＰＵ１１に転送した（ステップ１１０）後、ステップ１０１に戻り次のパケットを受信したか否かを判定する。
【００３８】
一方、ステップ１０６で記録部１７に排出先ビンが装着されていないと判定した場合、ＨＴＴＰＤ制御部３２はホームページ管理部３３にＨＴＴＰレスポンスとして、両面プリント選択、Ｎin１プリント選択のコンテンツを作成させＴＣＰ／ＩＰプロトコル制御部３１を介してパソコン２に送信する（ステップ１１１）。これにより、パソコン２のモニタ画面に図６に示すように、「両面プリント」、「Ｎin１プリント」、印刷部数を選択可能なプリント設定画面が表示される。
【００３９】
また、ステップ１０５で両面プリント機構が装着されていないと判定した場合、ＨＴＴＰＤ制御部３２はネットワーク複合機１の記録部１７に排出先ビンが装着されているか否かを判定し（ステップ１１２）、排出先ビンが装着されていると判定した場合は、ＨＴＴＰレスポンスとして、排出先ビン選択、Ｎin１プリント選択のコンテンツを作成させＴＣＰ／ＩＰプロトコル制御部３１を介してパソコン２に送信する（ステップ１１３）。これにより、パソコン２のモニタ画面に図７に示すように、「排出先ビン」、「Ｎin１プリント」、印刷部数を選択可能なプリント設定画面が表示される。
【００４０】
一方、ステップ１１２で排出先ビンが装着されていないと判定した場合、ＨＴＴＰＤ制御部３２はホームページ管理部３３にＨＴＴＰレスポンスとして、Ｎin１プリント選択のコンテンツを作成させＴＣＰ／ＩＰプロトコル制御部３１を介してパソコン２に送信する（ステップ１１４）。これにより、パソコン２のモニタ画面に図８に示すように、「Ｎin１プリント」と印刷部数を選択可能なプリント設定画面が表示される。
なお、ステップ１１１、１１３、１１４以降の作用は、上記で説明した作用と同じであるので、説明を省略する。
【００４１】
次に、ネットワーク複合機１本体が、ネットワークボード２１からダイレクトプリント原稿情報とダイレクトプリントの詳細プリント指示情報を受信した場合の作用を図９のフローチャートにより説明する。
ＣＰＵ１１は常時図９に示すフローチャートのプログラムを実行し、ネットワークボード２１からダイレクトプリントの指示を受信したか否かを判定しており（ステップ２０１）、ネットワークボード２１からダイレクトプリント指示を受信すると、ダイレクトプリントの詳細プリント指示情報をＲＡＭ１３に記憶する（ステップ２０２）。
【００４２】
次に、ＣＰＵ１１はダイレクトプリント原稿情報を受信し、画像メモリ１６に保存した（ステップ２０３）後、全てのダイレクトプリント原稿情報を受信したか否かを判定し（ステップ２０４）、全てのダイレクトプリント原稿情報を受信していないと判定した場合、ステップ２０３に戻って次のダイレクトプリント原稿情報を受信し、全てのダイレクトプリント原稿情報を受信したと判定した場合は、ダイレクトプリントの詳細プリント指示情報に従って、受信したダイレクトプリント原稿の内容をプリントする（ステップ２０５）。
【００４３】
すなわち、画像メモリ１６に保存され原稿画像を読み出してコーデック１８で復号した後、記録部１７により印刷する。このとき、ダイレクトプリントの詳細プリント指示情報で両面プリントが指示されていた場合には、記録部１７で両面プリントが実行され、Ｎin１プリントが指示されていた場合は、コーデック１８が圧縮処理した後、圧縮画像を記録部１７に送り、Ｎin１プリントが実行される。また、ダイレクトプリントの詳細プリント指示情報で排出先ビンが指定されていた場合は、記録部１７がプリント原稿を指定された排出先ビンに排出する。
【００４４】
以上のように、本発明のネットワーク複合機によれば、パソコン等の端末装置から保存された文書データのダイレクトプリント実行指示を受けたとき、ネットワーク複合機の備えている機能を判断することにより、例えば、両面プリント、Ｎin１プリント、プリント原稿の排出先等の使用可能な機能のみが選択情報として端末装置に送信されるので、ユーザは実際にネットワーク複合機に装備されている様々なプリント機能を簡単に利用することが可能となる。
【００４５】
なお、上記の実施例では、プリント機能として両面プリント、Ｎin１プリント、プリント原稿の排出先選択等を例として説明したが、その他のプリント機能を含む選択情報を端末装置に送信することも可能であり、また、パケットとしてＵＤＰ／ＩＰパケットやHTTP
POST Methodを使用したが、その他の同等の機能を有するパケットを採用することも可能である。
【図面の簡単な説明】
【００４６】
【図１】ネットワーク複合機を備えたシステムのネットワーク構成例を示す図である。
【図２】本発明のネットワーク複合機のハードウェア構成を示すブロック図である。
【図３】本発明で使用するネットワークボードの機能ブロック図である。
【図４】プリント指示が行われた場合のネットワークボードの作用を示すフローチャートである。
【図５】本発明で表示されるプリント設定画面の一例を示す図である。
【図６】本発明で表示されるプリント設定画面の他の例を示す図である。
【図７】本発明で表示されるプリント設定画面のさらに他の例を示す図である。
【図８】本発明で表示されるプリント設定画面のさらに他の例を示す図である。
【図９】プリント指示が行われた場合のネットワーク複合機本体の作用を示すフローチャートである。
【図１０】端末装置に表示される文書一覧リストの一例を示す図である。
【符号の説明】
【００４７】
１  ネットワーク複合機
２、３、４  パソコン
５  ＰＳＴＮ
６  ＬＡＮ
７  インターネット網
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ネットワークボード
２２  ＬＡＮ  Ｉ／Ｆ
２３  バス
３１  ＴＣＰ／ＩＰプロトコル制御部
３２  ＨＴＴＰＤ制御部
３３  ホームページ管理部
３４  装置情報管理部
３５  文書管理部
【図１】
2006135643.tif 000003
【図２】
2006135643.tif 000004
【図３】
2006135643.tif 000005
【図４】
2006135643.tif 000006
【図５】
2006135643.tif 000007
【図６】
2006135643.tif 000008
【図７】
2006135643.tif 000009
【図８】
2006135643.tif 000010
【図９】
2006135643.tif 000011
【図１０】
2006135643.tif 000012